【手続補正書】
【提出日】平成18年2月13日(2006.2.13)
【手続補正１】
【補正対象書類名】明細書
【補正対象項目名】特許請求の範囲
【補正方法】変更
【補正の内容】
【特許請求の範囲】
【請求項１】
順応型の通信装置において、
通信線と接続可能なコンセントモジュールと、
信号を利用する装置に対して着脱自在に取り付け可能なカード本体と
を備え、
前記コンセントモジュール及び前記カード本体は、互いに着脱自在に取り付けられ、単一のモジュールを形成し得るようにした通信装置。
【請求項２】
請求項１に記載の通信装置において、前記コンセントモジュールは、プラグを隙間無く受け入れ可能なリセスを備えた通信装置。
【請求項３】
請求項２に記載の通信装置において、前記リセスは、ＲＪ−ｘｘシリーズのプラグを隙間無く受け入れ可能である通信装置。
【請求項４】
請求項３に記載の通信装置において、前記ＲＪ−ｘｘシリーズのプラグは、ＲＪ−１１型プラグ、ＲＪ−１２型プラグ、ＲＪ−４５型プラグの中の一つである通信装置。
【請求項５】
請求項２に記載の通信装置において、前記コンセントモジュールは、複数の前記リセスのそれぞれに設けられた第１及び第２の導電体を更に備え、前記第１及び第２の導電体は、前記プラグが前記リセス内に受け入れられたとき前記プラグの第１及び第２の接点と電気的に接続されるように、配置されている通信装置。
【請求項６】
請求項１に記載の通信装置において、前記コンセントモジュールは、２つのプラグのそれぞれを隙間無く受け入れる２つのリセスを備えている通信装置。
【請求項７】
請求項１に記載の通信装置において、前記カード本体は、前記コンセントモジュールの全体を収容するようになっている通信装置。
【請求項８】
通信線と接続可能なコンセントモジュールと、
信号を利用する装置に対して着脱自在に接続可能な順応型のＰＣＭＣＩＡカード本体と
を備え、
前記コンセントモジュールと前記カード本体は、互いに着脱自在に取り付けられ、単一のモジュールを形成しうるようにした通信装置。
【請求項９】
請求項８に記載の通信装置において、前記コンセントモジュールは、プラグを隙間無く受け入れ可能なリセスを備えた通信装置。
【請求項１０】
請求項９に記載の通信装置において、前記リセスは、ＲＪ−ｘｘシリーズのプラグを隙間無く受け入れ可能である通信装置。
【請求項１１】
請求項１０に記載の通信装置において、前記ＲＪ−ｘｘシリーズのプラグは、ＲＪ−１１型プラグ、ＲＪ−１２型プラグ、ＲＪ−４５型プラグの中の一つである通信装置。
【請求項１２】
請求項９に記載の通信装置において、前記コンセントモジュールは、複数の前記リセスのそれぞれに設けられた第１及び第２の導電体を更に備え、前記第１及び第２の導電体は、前記プラグが前記リセス内に受け入れられたとき前記プラグの第１及び第２の接点と電気的に接続されるように、配置されている通信装置。
【請求項１３】
請求項８に記載の通信装置において、前記コンセントモジュールは、２つのプラグのそれぞれを隙間無く受け入れる２つのリセスを備えている通信装置。
【請求項１４】
請求項８に記載の通信装置において、前記カード本体は、前記コンセントモジュールの全体を収容するようになっている通信装置。
【請求項１５】
請求項８に記載の通信装置において、前記カード本体は、順応型のＰＣＭＣＩＡＩＩＩ型カード本体である通信装置。
【請求項１６】
通信プラグを隙間無く受け入れ可能なコンセントモジュールと、
信号を利用する装置と着脱可能に接続可能なカード本体と
を備え、
前記カード本体は、前記信号を利用する装置との着脱可能な接続のためのキャビティと、前記コンセントモジュールの少なくとも一部を着脱自在に収容するためのキャビティとを備え、前記キャビティと前記コンセントモジュールの大きさを異ならせた通信装置。
【請求項１７】
請求項１６に記載の通信装置において、前記キャビティは、前記コンセントモジュールよりも大きい通信装置。
【請求項１８】
請求項１６に記載の通信装置において、前記リセスは、ＲＪ−ｘｘシリーズのプラグを隙間無く受け入れ可能とされている通信装置。
【請求項１９】
請求項１８に記載の通信装置において、前記コンセントモジュールの少なくとも一部は、ＲＪ−ｘｘシリーズのプラグである通信装置。
【請求項２０】
請求項１８に記載の通信装置において、前記ＲＪ−ｘｘタイプのプラグは、ＲＪ−１１型プラグ、ＲＪ−１２型プラグ、ＲＪ−４５型プラグの中の一つである通信装置。
【請求項２１】
請求項１６に記載の通信装置において、前記コンセントモジュールは、複数の前記リセスのそれぞれに設けられた第１及び第２の導電体を更に備え、前記第１及び第２の導電体は、前記プラグが前記リセス内に受け入れられたとき前記プラグの第１及び第２の接点と電気的に接続されるように、配置されている通信装置。
【請求項２２】
請求項１６に記載の通信装置において、前記コンセントモジュールは、２つのプラグのそれぞれを隙間無く受け入れる２つのリセスを備えている通信装置。
【請求項２３】
請求項１６に記載の通信装置において、前記カード本体は、前記コンセントモジュールの全体を収容するようになっている通信装置。
【請求項２４】
請求項１６に記載の通信装置において、前記カード本体は、順応型のＰＣＭＣＩＡカード本体である通信装置。
【請求項２５】
請求項１６に記載の通信装置において、前記カード本体は、順応型のＰＣＭＣＩＡＩＩＩ型カード本体である通信装置。
【請求項２６】
請求項１６に記載の通信装置において、前記カード本体は、通信信号処理回路を備えた通信装置。
【請求項２７】
請求項１６に記載の通信装置において、前記カード本体は、ＤＡＡを備えた通信装置。
【請求項２８】
通信線と接続可能なコンセントモジュールと、
信号を利用する装置に対して着脱自在に取り付け可能なカード本体と
を備え、
前記コンセントモジュール及び前記カード本体は、互いに着脱自在に取り付けられ、単一のモジュールを形成可能であり、
前記カード本体は、通信信号処理回路を備えた通信装置。
【請求項２９】
請求項２８に記載の通信装置において、前記カード本体は、ＤＡＡを備えた通信装置。
【請求項３０】
請求項２８に記載の通信装置において、前記コンセントモジュールは、プラグを隙間無く受け入れ得る形状のリセスを備えた通信装置。
【請求項３１】
請求項３０に記載の通信装置において、前記利説は、ＲＪ−ｘｘシリーズのプラグを隙間無く受け入れ得る形状のリセスを備えた通信装置。
【請求項３２】
請求項３１に記載の通信装置において、前記ＲＪ−ｘｘタイプのプラグは、ＲＪ−１１型プラグ、ＲＪ−１２型プラグ、ＲＪ−４５型プラグの中の一つである通信装置。
【請求項３３】
請求項３０に記載の通信装置において、前記コンセントモジュールは、複数の前記リセスのそれぞれに設けられた第１及び第２の導電体を更に備え、前記第１及び第２の導電体は、前記プラグが前記リセス内に受け入れられたとき前記プラグの第１及び第２の接点と電気的に接続されるように、配置されている通信装置。
【請求項３４】
請求項２８に記載の通信装置において、前記コンセントモジュールは、２つのプラグのそれぞれを隙間無く受け入れる２つのリセスを備えている通信装置。
【請求項３５】
請求項２８に記載の通信装置において、前記カード本体は、前記コンセントモジュールの全体を収容するようになっている通信装置。
【請求項３６】
請求項２８に記載の通信装置において、前記カード本体は、順応型のＰＣＭＣＩＡカード本体である通信装置。
【請求項３７】
請求項２８に記載の通信装置において、前記カード本体は、順応型のＰＣＭＣＩＡＩＩＩ型カード本体である通信装置。